【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
基地局装置によって、下りリンク制御情報フォーマットを用いて物理上りリンク共有チャネルがスケジューリングされるユーザ機器であって、
サウンディング参照信号の送信に関するサブフレームの位置を、ユーザ機器固有に設定するために使用される第１の情報が含まれる無線リソース制御シグナリングを、前記基地局装置から受信する手段と、
前記サウンディング参照信号の送信を要求することを指示する第２の情報が含まれる前記下りリンク制御情報フォーマットを、前記基地局装置から受信する手段と、
サブフレームｎにおいて前記第２の情報を検出した場合に、前記第１の情報に基づいて設定され、且つ、ｎ’≧ｎ＋４を満たす、最初のサブフレームｎ’において、前記サウンディング参照信号を前記基地局装置へ送信する手段と、を備える
ことを特徴とするユーザ機器。
【請求項２】
前記サウンディング参照信号の送信に関するサイクリックシフトを設定するための第３の情報が含まれる前記無線リソース制御シグナリングを、前記基地局装置から受信する手段と、
前記第３の情報に基づいて、前記サウンディング参照信号を前記基地局装置へ送信する手段と、を備える
ことを特徴とする請求項１に記載のユーザ機器。
【請求項３】
前記サウンディング参照信号の送信に関する帯域幅を設定するための第４の情報が含まれる前記無線リソース制御シグナリングを、前記基地局装置から受信する手段と、
前記第４の情報に基づいて、前記サウンディング参照信号を前記基地局装置へ送信する手段と、を備える
ことを特徴とする請求項１または請求項２に記載のユーザ機器。
【請求項４】
下りリンク制御情報フォーマットを用いて、ユーザ機器に物理上りリンク共有チャネルをスケジューリングする基地局装置であって、
サウンディング参照信号の送信に関するサブフレームの位置を、ユーザ機器固有に設定するために使用される第１の情報が含まれる無線リソース制御シグナリングを、前記ユーザ機器へ送信する手段と、
前記サウンディング参照信号の送信を要求することを指示する第２の情報が含まれる前記下りリンク制御情報フォーマットを、前記ユーザ機器へ送信する手段と、
サブフレームｎにおいて前記第２の情報を送信した場合に、前記第１の情報に基づいて設定され、且つ、ｎ’≧ｎ＋４を満たす、最初のサブフレームｎ’において、前記サウンディング参照信号を前記ユーザ機器から受信する手段と、を備える
ことを特徴とする基地局装置。
【請求項５】
前記サウンディング参照信号の送信に関するサイクリックシフトを設定するための第３の情報が含まれる前記無線リソース制御シグナリングを、前記ユーザ機器へ送信する手段と、
前記第３の情報に基づいて、前記サウンディング参照信号を前記ユーザ機器から受信する手段と、を備える
ことを特徴とする請求項４に記載の基地局装置。
【請求項６】
前記サウンディング参照信号の送信に関する帯域幅を設定するための第４の情報が含まれる前記無線リソース制御シグナリングを、前記ユーザ機器へ送信する手段と、
前記第４の情報に基づいて、前記サウンディング参照信号を前記ユーザ機器から受信する手段と、を備える
ことを特徴とする請求項４または請求項５に記載の基地局装置。
【請求項７】
基地局装置によって、下りリンク制御情報フォーマットを用いて物理上りリンク共有チャネルがスケジューリングされるユーザ機器の通信方法であって、
サウンディング参照信号の送信に関するサブフレームの位置を、ユーザ機器固有に設定するために使用される第１の情報が含まれる無線リソース制御シグナリングを、前記基地局装置から受信し、
前記サウンディング参照信号の送信を要求することを指示する第２の情報が含まれる前記下りリンク制御情報フォーマットを、前記基地局装置から受信し、
サブフレームｎにおいて前記第２の情報を検出した場合に、前記第１の情報に基づいて設定され、且つ、ｎ’≧ｎ＋４を満たす、最初のサブフレームｎ’において、前記サウンディング参照信号を前記基地局装置へ送信する
ことを特徴とする通信方法。
【請求項８】
前記サウンディング参照信号の送信に関するサイクリックシフトを設定するための第３の情報が含まれる前記無線リソース制御シグナリングを、前記基地局装置から受信し、
前記第３の情報に基づいて、前記サウンディング参照信号を前記基地局装置へ送信する
ことを特徴とする請求項７に記載の通信方法。
【請求項９】
前記サウンディング参照信号の送信に関する帯域幅を設定するための第４の情報が含まれる前記無線リソース制御シグナリングを、前記基地局装置から受信し、
前記第４の情報に基づいて、前記サウンディング参照信号を前記基地局装置へ送信する
ことを特徴とする請求項７または請求項８に記載の通信方法。
【請求項１０】
下りリンク制御情報フォーマットを用いて、ユーザ機器に物理上りリンク共有チャネルをスケジューリングする基地局装置の通信方法であって、
サウンディング参照信号の送信に関するサブフレームの位置を、ユーザ機器固有に設定するために使用される第１の情報が含まれる無線リソース制御シグナリングを、前記ユーザ機器へ送信し、
前記サウンディング参照信号の送信を要求することを指示する第２の情報が含まれる前記下りリンク制御情報フォーマットを、前記ユーザ機器へ送信し、
サブフレームｎにおいて前記第２の情報を送信した場合に、前記第１の情報に基づいて設定され、且つ、ｎ’≧ｎ＋４を満たす、最初のサブフレームｎ’において、前記サウンディング参照信号を前記ユーザ機器から受信する
ことを特徴とする通信方法。
【請求項１１】
前記サウンディング参照信号の送信に関するサイクリックシフトを設定するための第３の情報が含まれる前記無線リソース制御シグナリングを、前記ユーザ機器へ送信し、
前記第３の情報に基づいて、前記サウンディング参照信号を前記ユーザ機器から受信する
ことを特徴とする請求項１０に記載の通信方法。
【請求項１２】
前記サウンディング参照信号の送信に関する帯域幅を設定するための第４の情報が含まれる前記無線リソース制御シグナリングを、前記ユーザ機器へ送信し、
前記第４の情報に基づいて、前記サウンディング参照信号を前記ユーザ機器から受信する
ことを特徴とする請求項１０または請求項１１に記載の通信方法。
【請求項１３】
基地局装置によって、下りリンク制御情報フォーマットを用いて物理上りリンク共有チャネルがスケジューリングされるユーザ機器に搭載される集積回路であって、
サウンディング参照信号の送信に関するサブフレームの位置を、ユーザ機器固有に設定するために使用される第１の情報が含まれる無線リソース制御シグナリングを、前記基地局装置から受信する機能と、
前記サウンディング参照信号の送信を要求することを指示する第２の情報が含まれる前記下りリンク制御情報フォーマットを、前記基地局装置から受信する機能と、
サブフレームｎにおいて前記第２の情報を検出した場合に、前記第１の情報に基づいて設定され、且つ、ｎ’≧ｎ＋４を満たす、最初のサブフレームｎ’において、前記サウンディング参照信号を前記基地局装置へ送信する機能と、を前記ユーザ機器に発揮させる
ことを特徴とする集積回路。
【請求項１４】
下りリンク制御情報フォーマットを用いて、ユーザ機器に物理上りリンク共有チャネルをスケジューリングする基地局装置に搭載される集積回路であって、
サウンディング参照信号の送信に関するサブフレームの位置を、ユーザ機器固有に設定するために使用される第１の情報が含まれる無線リソース制御シグナリングを、前記ユーザ機器へ送信する機能と、
前記サウンディング参照信号の送信を要求することを指示する第２の情報が含まれる前記下りリンク制御情報フォーマットを、前記ユーザ機器へ送信する機能と、
サブフレームｎにおいて前記第２の情報を送信した場合に、前記第１の情報に基づいて設定され、且つ、ｎ’≧ｎ＋４を満たす、最初のサブフレームｎ’において、前記サウンディング参照信号を前記ユーザ機器から受信する機能と、を前記基地局装置に発揮させる
ことを特徴とする集積回路。